(57)【要約】【課題】ファンの騒音を抑えると共に電子部品及び光源が熱で劣化することを防止することができ、しかも温度検出部の追加が不要なプロジェクタを提供する。【解決手段】通気孔を有する筐体１に収容された光源２と、光源２からの光を光変調するＤＭＤ８に並設されており、筐体１内部の温度を検出する内部温度検出部１１と、内部温度検出部１１及び外部温度検出部１２が検出した温度の差に応じてファン１０の回転数を制御し、ＤＭＤ８にて光変調された変調光を投射するプロジェクタに、光源２の点灯時間及び閾値を対応付けた閾値テーブルと、光源２の点灯時間を計時する計時部１４と、計時部１４が計時した点灯時間及び閾値テーブルに基づいて閾値を特定する特定手段と、該特定手段が特定した閾値及び前記温度の差を比較し、比較結果に応じてファン１０の回転数を制御する手段とを備える。【選択図】図２
2007279365.tif 000002
【特許請求の範囲】
【請求項１】
通気孔を有する筐体に収容された光源と、該光源からの光を光変調する光変調素子に並設されており、前記筐体内部の温度を検出する内部温度検出部と、前記筐体外部の温度を検出する外部温度検出部と、前記筐体内部を通気するファンとを備え、前記内部温度検出部及び前記外部温度検出部が検出した温度の差に応じて前記ファンの回転数を制御し、前記光変調素子にて光変調された変調光を投射するようにしてあるプロジェクタにおいて、
前記光源の点灯時間及び閾値を対応付けたテーブルと、
前記光源の点灯時間を計時する計時部と、
該計時部が計時した点灯時間及び前記テーブルに基づいて閾値を特定する特定手段と、
前記外部温度検出部及び前記内部温度検出部が検出した温度の差、並びに前記特定手段が特定した閾値を比較し、比較結果に応じて前記ファンの回転数を制御する手段と
を備えることを特徴とするプロジェクタ。
【請求項２】
筐体に収容された光源と、該光源からの光を光変調する光変調素子に並設されており、前記筐体内部の温度を検出する内部温度検出部と、前記筐体外部の温度を検出する外部温度検出部とを備え、前記内部温度検出部及び前記外部温度検出部が検出した温度の差に応じて前記光源の点灯を制御し、前記光変調素子にて光変調された変調光を投射するようにしてあるプロジェクタにおいて、
前記光源の点灯時間及び閾値を対応付けたテーブルと、
前記光源の点灯時間を計時する計時部と、
該計時部が計時した点灯時間及び前記テーブルに基づいて閾値を特定する特定手段と、
前記外部温度検出部及び前記内部温度検出部が検出した温度の差、並びに前記特定手段が特定した閾値を比較し、比較結果に応じて前記光源の点灯を制御する手段と
を備えることを特徴とするプロジェクタ。
【請求項３】
データを受信する受信手段と、
該受信手段が受信したデータに応じて、前記テーブルの閾値を増減させる手段と
を備えることを特徴とする請求項１又は請求項２に記載のプロジェクタ。
【請求項４】
通気孔を有する筐体に収容された光源と、該光源からの光を光変調する光変調素子に並設されており、前記筐体内部の温度を検出する内部温度検出部と、前記筐体外部の温度を検出する外部温度検出部と、前記筐体内部を通気するファンとを備え、前記内部温度検出部及び前記外部温度検出部が検出した温度の差に応じて前記ファンの回転数を制御し、前記光変調素子にて光変調された変調光を投射するようにしてあるプロジェクタにおいて、
前記光源の照度及び閾値を対応付けたテーブルと、
前記光源の照度を示すデータを受信する受信手段と、
該受信手段が受信したデータが示す照度及び前記テーブルに基づいて閾値を特定する特定手段と、
前記外部温度検出部及び前記内部温度検出部が検出した温度の差、並びに前記特定手段が特定した閾値を比較し、比較結果に応じて前記ファンの回転数を制御する手段と
を備えることを特徴とするプロジェクタ。
【請求項５】
筐体に収容された光源と、該光源からの光を光変調する光変調素子に並設されており、前記筐体内部の温度を検出する内部温度検出部と、前記筐体外部の温度を検出する外部温度検出部とを備え、前記内部温度検出部及び前記外部温度検出部が検出した温度の差に応じて前記光源の点灯を制御し、前記光変調素子にて光変調された変調光を投射するようにしてあるプロジェクタにおいて、
前記光源の照度及び閾値を対応付けたテーブルと、
前記光源の照度を示すデータを受信する受信手段と、
該受信手段が受信したデータが示す照度及び前記テーブルに基づいて閾値を特定する特定手段と、
前記外部温度検出部及び前記内部温度検出部が検出した温度の差、並びに前記特定手段が特定した閾値を比較し、比較結果に応じて前記光源の点灯を制御する手段と
を備えることを特徴とするプロジェクタ。
【発明の詳細な説明】
【技術分野】
【０００１】
本発明は、プロジェクタに関し、特に光源を収容した筐体内部及び筐体外部の温度を検出し、検出した温度の差に応じて光源の点灯又は筐体内部を通気するファンの回転数を制御するプロジェクタに関する。
【背景技術】
【０００２】
図９は従来のプロジェクタの構成を示すブロック図、図１０はプロジェクタの略示横断面図である。
プロジェクタは、略直方体の筐体１に収容された光源２、筐体１を通気するためのファン１０、筐体１内部の温度を検出する内部温度検出部１１、及び筐体１外部の温度を検出する外部温度検出部１２を備えている。
【０００３】
内部温度検出部１１は、光源２から離隔しており、光源２からの光を光変調する光変調素子、例えばＤＭＤ８（Digital Micromirror Device）に並設されている。内部温度検出部１１の検出値は第１ＡＤＣ１５でＡＤ変換され、外部温度検出部１２の検出値は第２ＡＤＣ１８でＡＤ変換される。制御部１６は、ＡＤ変換された検出値を取得し、取得した検出値に基づいて筐体１内外の温度差を算出する。そして、制御部１６は、算出した温度差と所定の第１乃至第４閾値とを比較し、比較結果に応じてファン１０の回転数及び光源２の点灯を制御する。
【０００４】
図１１は、筐体１内外の温度差とファン１０の回転数との関係を示すグラフである。
横軸は筐体１内外の温度差であり、縦軸はファン１０の回転数を示している。制御部１６は、温度差が第１閾値未満の場合、ファン１０を回転させず、第１閾値以上で第２閾値未満の場合、ファン１０を低速回転させ、第２閾値以上で第３閾値未満の場合、ファン１０を中速回転させ、第３閾値以上で第４閾値未満の場合、ファン１０を高速回転させる。そして、制御部１６は、温度差が第４閾値以上の場合、光源２を消灯する（例えば、特許文献１，２）。
【０００５】
このように構成されたプロジェクタにおいては、筐体１内外の温度差、つまり排熱状態に応じて制御部１６、ＤＭＤ８等の電子部品及び光源２を空冷し、光源２を消灯するため、通気孔が閉塞した場合に電子部品及び光源２が熱によって劣化することを防止すると共に、ファン１０の回転による不要な騒音を抑えることができる。
また、内部温度検出部１１はＤＭＤ８に並設されているため、他の電子部品に比べて熱に弱いＤＭＤ８の温度を正確に検出することができ、検出結果に基づいてＤＭＤ８を確実に保護することができる。
【特許文献１】特開平１０−１８６５１３号公報
【特許文献２】特開２０００−３５６１３号公報
【発明の開示】
【発明が解決しようとする課題】
【０００６】
ところで、図１０（ａ），（ｂ）に示すように、光源２の光量が経時変化によって減少した場合、光照射によってＤＭＤ８に与えられる熱量がＱ１からＱ３（Ｑ３＜Ｑ１）に低下する。一方、光源２から周囲に熱伝導する熱量Ｑ２は変化しない。従って、光源２の累積点灯時間が長い程、ＤＭＤ８の温度が他の電子部品に比べて低温になり、電子部品が高温にも関わらずファン１０が回転せず、また光源２が消灯しない虞があった。
つまり、光源２の周囲温度が電子部品の劣化を招く温度まで上昇しているにも関わらず、ＤＭＤ８の温度は低いままであるため、ファン１０の回転数は上昇せず、電子部品及び光源２が劣化するという問題があった。
【０００７】
電子部品及び光源２の劣化を防ぐために、第１乃至第４閾値の値をより小さな値に設定した場合、光源２の使用開始時においては、筐体１内部の温度が低いにも関わらず、ファン１０が高速で回転し、不要な騒音が発生するという問題が生ずる。
また、ＤＭＤ８及び光源２の周囲に夫々内部温度検出部１１を備えることにより、上述の問題を解決することができるが、ファン１０の回転数及び光源２の点灯の制御が複雑になり、また高コストになるという問題が生ずる。
【０００８】
一方、組立工程において各プロジェクタに備えられる光源２の照度は、約２０パーセントのばらつきを有しているため、各プロジェクタで同じ第１乃至第４閾値を用いた場合、光源２が経時変化した場合と同様、電子部品及び光源２の劣化が生ずる虞がある。
【０００９】
本発明は斯かる事情に鑑みてなされたものであり、光源の点灯時間及び閾値を対応付けたテーブル、並びに光源の点灯時間を計時する計時部を備え、計時した点灯時間及びテーブルに基づいて閾値を特定し、特定した閾値及び筐体内外の温度差を比較し、比較結果に応じてファンの回転数を制御するように構成することにより、光源が経時変化した場合であっても、ファンの騒音を抑えると共に電子部品及び光源が熱で劣化することを防止することができ、しかも温度検出部の追加が不要であり低コストで構成することができるプロジェクタを提供することを目的とする。
【００１０】
本発明の他の目的は、光源の点灯時間及び閾値を対応付けたテーブル、並びに光源の点灯時間を計時する計時部を備え、計時した点灯時間及びテーブルに基づいて閾値を特定し、特定した閾値及び筐体内外の温度差を比較し、比較結果に応じて光源の点灯を制御するように構成することにより、光源が経時変化した場合であっても、電子部品及び光源が熱で劣化することを防止することができ、しかも温度検出部の追加が不要であり低コストで構成することができるプロジェクタを提供することにある。
【００１１】
本発明の他の目的は、データ、例えば光源の照度を示すデータを受信し、受信したデータに基づいて、テーブルが記憶している閾値を補正するように構成することにより、製造工程でプロジェクタに備える光源の照度がばらつきを有する場合であっても、ファンの騒音を抑えると共に電子部品及び光源が熱で劣化することを防止することができるプロジェクタを提供することにある。
【００１２】
本発明の他の目的は、光源の照度及び閾値を対応付けたテーブル、並びに光源の照度を示すデータを受信する受信手段を備え、受信したデータが示す照度及びテーブルに基づいて閾値を特定し、特定した閾値及び筐体内外の温度差を比較し、比較結果に応じてファンの回転数を制御するように構成することにより、製造工程でプロジェクタに備える光源の照度がばらつきを有する場合であっても、ファンの騒音を抑えると共に電子部品及び光源が熱で劣化することを防止することができ、しかも温度検出部の追加が不要であり低コストで構成することができるプロジェクタを提供することにある。
【００１３】
本発明の他の目的は、光源の照度及び閾値を対応付けたテーブル、並びに光源の照度を示すデータを受信する受信手段を備え、受信したデータが示す照度及びテーブルに基づいて閾値を特定し、特定した閾値及び筐体内外の温度差を比較し、比較結果に応じて光源の点灯を制御するように構成することにより、製造工程でプロジェクタに備える光源の照度がばらつきを有する場合であっても、電子部品及び光源が熱で劣化することを防止することができ、しかも温度検出部の追加が不要であり低コストで構成することができるプロジェクタを提供することにある。
【課題を解決するための手段】
【００１４】
本発明に係るプロジェクタは、通気孔を有する筐体に収容された光源と、該光源からの光を光変調する光変調素子に並設されており、前記筐体内部の温度を検出する内部温度検出部と、前記筐体外部の温度を検出する外部温度検出部と、前記筐体内部を通気するファンとを備え、前記内部温度検出部及び前記外部温度検出部が検出した温度の差に応じて前記ファンの回転数を制御し、前記光変調素子にて光変調された変調光を投射するようにしてあるプロジェクタにおいて、前記光源の点灯時間及び閾値を対応付けたテーブルと、前記光源の点灯時間を計時する計時部と、該計時部が計時した点灯時間及び前記テーブルに基づいて閾値を特定する特定手段と、前記外部温度検出部及び前記内部温度検出部が検出した温度の差、並びに前記特定手段が特定した閾値を比較し、比較結果に応じて前記ファンの回転数を制御する手段とを備えることを特徴とする。
【００１５】
本発明にあっては、光源が点灯した場合、熱伝導によって光源周囲の温度が上昇し、光の照射によって光変調素子の温度も上昇する。光源が経時変化した場合、光源の光量が低下するため、光変調素子に並設された内部温度検出部が検出する温度は、光源周囲の温度に比べて低くなる。このため、筐体内外の温度差が低く評価される。
そこで、計時部が光源の点灯時間を計時し、特定手段は、光源の点灯時間及び閾値を対応付けたテーブルと、計時部が計時した点灯時間とに基づいて、ファンの回転数を制御するための閾値を特定する。つまり、特定手段は、光源の経時変化に応じたファンの回転数制御を可能にする閾値を特定する。そして、制御手段は、特定手段が特定した閾値と、外部温度検出部が検出した温度及び内部温度検出部が検出した温度の差とを比較し、比較結果に応じてファンの回転数を制御する。
従って、プロジェクタは、光源の経時変化に応じて、ファンの不要な騒音を抑えつつ、電子部品及び光源が熱で劣化しないようにファンの回転数を制御することができる。
なお、テーブルは、光源の点灯時間及び閾値を対応付けてメモリに記憶させたものであるが、光源の点灯時間及び閾値を対応付ける関数をメモリに記憶させたものを含む。
【００１６】
本発明に係るプロジェクタは、筐体に収容された光源と、該光源からの光を光変調する光変調素子に並設されており、前記筐体内部の温度を検出する内部温度検出部と、前記筐体外部の温度を検出する外部温度検出部とを備え、前記内部温度検出部及び前記外部温度検出部が検出した温度の差に応じて前記光源の点灯を制御し、前記光変調素子にて光変調された変調光を投射するようにしてあるプロジェクタにおいて、前記光源の点灯時間及び閾値を対応付けたテーブルと、前記光源の点灯時間を計時する計時部と、該計時部が計時した点灯時間及び前記テーブルに基づいて閾値を特定する特定手段と、前記外部温度検出部及び前記内部温度検出部が検出した温度の差、並びに前記特定手段が特定した閾値を比較し、比較結果に応じて前記光源の点灯を制御する手段とを備えることを特徴とする。
【００１７】
本発明にあっては、計時部が光源の点灯時間を計時し、特定手段は、光源の点灯時間及び閾値を対応付けたテーブルと、計時部が計時した点灯時間とに基づいて、光源の点灯を制御するための閾値を特定する。つまり、特定手段は、光源の経時変化に応じた光源の点灯制御を可能にする閾値を特定する。そして、制御手段は、特定手段が特定した閾値と、外部温度検出部が検出した温度及び内部温度検出部が検出した温度の差とを比較し、比較結果に応じて光源の点灯を制御する。
従って、プロジェクタは、光源の経時変化に応じて、電子部品及び光源が熱で劣化しないように光源の点灯を制御することができる。
【００１８】
本発明に係るプロジェクタは、データを受信する受信手段と、該受信手段が受信したデータに応じて、前記テーブルの閾値を増減させる手段とを備えることを特徴とする。
【００１９】
本発明にあっては、受信手段はデータ、例えば、光源の照度を示すデータを受信する。そして、プロジェクタは、受信したデータに基づいて、テーブルが記憶している閾値を増減させる。つまり、テーブルの閾値は、光源の照度に応じたファンの回転数制御又は光源の点灯制御を可能にする値に補正される。
従って、製造工程でプロジェクタに備える光源の光量がばらつきを有している場合であっても、プロジェクタは、照度のばらつきに応じて、閾値を補正することができ、電子部品及び光源が熱で劣化しないようにファンの回転数又は光源の点灯を制御することができる。
【００２０】
本発明に係るプロジェクタは、通気孔を有する筐体に収容された光源と、該光源からの光を光変調する光変調素子に並設されており、前記筐体内部の温度を検出する内部温度検出部と、前記筐体外部の温度を検出する外部温度検出部と、前記筐体内部を通気するファンとを備え、前記内部温度検出部及び前記外部温度検出部が検出した温度の差に応じて前記ファンの回転数を制御し、前記光変調素子にて光変調された変調光を投射するようにしてあるプロジェクタにおいて、前記光源の照度及び閾値を対応付けたテーブルと、前記光源の照度を示すデータを受信する受信手段と、該受信手段が受信したデータが示す照度及び前記テーブルに基づいて閾値を特定する特定手段と、前記外部温度検出部及び前記内部温度検出部が検出した温度の差、並びに前記特定手段が特定した閾値を比較し、比較結果に応じて前記ファンの回転数を制御する手段とを備えることを特徴とする。
【００２１】
本発明にあっては、光源が点灯した場合、熱伝導によって光源周囲の温度が上昇し、光の照射によって光変調素子の温度も上昇する。光源の照度がばらつきを有する場合、光変調素子に並設された内部温度検出部が検出する温度は、光源周囲の温度に比べてばらつきを有する。このため、筐体内外の温度差がばらつく。
そこで、受信手段は光源の照度を示すデータを受信し、特定手段は、光源の照度及び閾値を対応付けたテーブルと、受信したデータが示す照度とに基づいて、ファンの回転数を制御するための閾値を特定する。つまり、特定手段は、光源の照度に応じたファンの回転数制御を可能にする閾値を特定する。そして、制御手段は、特定手段が特定した閾値と、外部温度検出部が検出した温度及び内部温度検出部が検出した温度の差とを比較し、比較結果に応じてファンの回転数を制御する。
従って、光源が有する照度のばらつきに応じて、ファンの不要な騒音を抑えつつ、電子部品及び光源が熱で劣化しないようにファンの回転数を制御することができる。
【００２２】
本発明に係るプロジェクタは、筐体に収容された光源と、該光源からの光を光変調する光変調素子に並設されており、前記筐体内部の温度を検出する内部温度検出部と、前記筐体外部の温度を検出する外部温度検出部とを備え、前記内部温度検出部及び前記外部温度検出部が検出した温度の差に応じて前記光源の点灯を制御し、前記光変調素子にて光変調された変調光を投射するようにしてあるプロジェクタにおいて、前記光源の照度及び閾値を対応付けたテーブルと、前記光源の照度を示すデータを受信する受信手段と、該受信手段が受信したデータが示す照度及び前記テーブルに基づいて閾値を特定する特定手段と、前記外部温度検出部及び前記内部温度検出部が検出した温度の差、並びに前記特定手段が特定した閾値を比較し、比較結果に応じて前記光源の点灯を制御する手段とを備えることを特徴とする。
【００２３】
本発明にあっては、受信手段は光源の照度を示すデータを受信し、特定手段は、光源の照度及び閾値を対応付けたテーブルと、受信したデータが示す照度とに基づいて、光源の点灯を制御するための閾値を特定する。つまり、特定手段は、光源の照度に応じた光源の点灯制御を可能にする閾値を特定する。そして、制御手段は、特定手段が特定した閾値と、外部温度検出部が検出した温度及び内部温度検出部が検出した温度の差とを比較し、比較結果に応じて光源の点灯を制御する。
従って、プロジェクタは、光源が有する照度のばらつきに応じて、電子部品及び光源が熱で劣化しないように光源の点灯を制御することができる。
【発明の効果】
【００２４】
本発明によれば、光源の経時変化に応じたファンの回転数制御を可能にする閾値を特定してファンの回転数を制御することにより、光源が経時変化した場合であっても、ファンの騒音を抑えると共に電子部品及び光源が熱で劣化することを防止することができる。また、温度検出部の追加が不要であり、上述の効果を有するプロジェクタを低コストで構成することができる。
【００２５】
本発明によれば、光源の経時変化に応じた光源の点灯制御を可能にする閾値を特定して光源の点灯を制御することにより、光源が経時変化した場合であっても、電子部品及び光源が熱で劣化することを防止することができる。また、温度検出部の追加が不要であり、上述の効果を有するプロジェクタを低コストで構成することができる。
【００２６】
本発明によれば、製造工程でプロジェクタに備える光源の照度がばらつきを有する場合であっても、ファンの騒音を抑えると共に電子部品及び光源が熱で劣化することを防止することができる。
【００２７】
本発明によれば、光源の照度に応じたファンの回転数制御を可能にする閾値を特定してファンの回転数を制御することにより、製造工程でプロジェクタに備える光源の照度がばらつきを有する場合であっても、ファンの騒音を抑えると共に電子部品及び光源が熱で劣化することを防止することができる。また、温度検出部の追加が不要であり、上述の効果を有するプロジェクタを低コストで構成することができる。
【００２８】
本発明によれば、光源の照度に応じた光源の点灯制御を可能にする閾値を特定して光源の点灯を制御することにより、製造工程でプロジェクタに備える光源の照度がばらつきを有する場合であっても、電子部品及び光源が熱で劣化することを防止することができる。また、温度検出部の追加が不要であり、上述の効果を有するプロジェクタを低コストで構成することができる。
【発明を実施するための最良の形態】
【００２９】
以下、本発明をその実施の形態を示す図面に基づいて詳述する。
（実施の形態１）
図１は、本発明の実施の形態１に係るＤＬＰ（Digital Light Processing）方式のプロジェクタの略示横断面図、図２は、プロジェクタの構成を示すブロック図である。
図中１は、例えば超高圧水銀ランプ、メタルハライドランプ等の光源であり、中空略直方体の筐体１に収容されている。
【００３０】
筐体１は、矩形の底板部１ａを備えており、底板部１ａの４辺には正面壁１ｂ、側壁１ｃ，１ｄ、及び背面壁１ｅが底板部１ａに対して略垂直に形成されている。正面壁１ｂ、側壁１ｃ，１ｄ及び背面壁１ｅの上端には図示しない天板部が形成されている。側壁１ｃ，１ｄ及び背面壁１ｅには、複数のスリットからなる通気孔１ｆ，１ｇ，１ｈが夫々形成されている。
【００３１】
光源２は、筐体１内部の背面側の角に配されており、光源２には、電力を供給して光源２を点灯させる点灯回路２０が接続されている。光源２が発した白色光は、回転放物面状の反射鏡３によって反射されてカラーホイール４を透過し、ロッドインテグレータ６に入射する。
【００３２】
カラーホイール４は、赤・緑・青の光を夫々透過させる扇状のカラーフィルタを周方向に配しており、カラーフィルタの回転通過域に光源２の投光域が位置するように配置されている。
【００３３】
カラーホイール４の中心部には、モータ駆動部２２により回転駆動されるモータ５の出力軸が接続されており、モータ駆動部２２はモータ５を等速回転させる。モータ５の回転は、マイクロコンピュータからなる制御部１６によって制御される。
【００３４】
カラーホイール４が等速回転している場合、白色光は赤色、緑色及び青色のカラーフィルタに順次的に入射し、時系列で赤・緑・青の光に色時分割される。色時分割された光は、略長方形のロッドインテグレータ６の入射口に入射し、入射した光は、ロッドインテグレータ６の内面で反射を繰り返して均一な光となり、出射口から照明レンズ群７に入射する。
【００３５】
照明レンズ群７は、コンデンサレンズ及びリレーレンズからなり、白色光を光変調素子、例えばＤＭＤ８に入射させる。ＤＭＤ８は、画像データに係る画像の各ドットに対応付けられた複数の微小可動ミラーを備えており、光源２から筐体１の横方向に離隔するように配されている。ＤＭＤ８にはＤＭＤ駆動部２１が接続されており、ＤＭＤ駆動部２１は、制御部１６から与えられた画像データに基づいて、色時分割された赤・緑・青の光が、投射レンズ９へ又は投射レンズ９外へ選択的に反射するように、各微小可動ミラーを選択的に±１０度傾ける。ＤＭＤ８に入射した光は、ＤＭＤ８の微小可動ミラーにより光変調され、光変調された変調光は、投射レンズ９に入射する。
【００３６】
投射レンズ９は、正面壁１ｂの横方向一端側、光源２と対角をなす箇所に設けられており、変調光、即ち画像を拡大表示する光をスクリーンに投射する。その結果、画像データに係る画像がスクリーンに色時分割表示される。
【００３７】
背面壁１ｅの光源２近傍部分には、筐体１内部を通気し、光源２、制御部１６、ＤＭＤ８等を空冷するための排気用のファン１０が配されている。ファン１０の回転中心には、ファン１０を回転させる図示しないモータの出力軸が接続されており、ファン１０はファン駆動部１７によって回転駆動される。
【００３８】
ＤＭＤ８には、筐体１内部に配されたＤＭＤ８、制御部１６等の温度を検出する内部温度検出部１１が並設されている。
図３は、内部温度検出部１１の構成を示す回路図である。内部温度検出部１１は、一端が接地されたサーミスタ１１ａを備えている。サーミスタ１１ａの他端には、第１抵抗器Ｒ１及び第２抵抗器Ｒ２の一端が夫々接続されている。第１抵抗器Ｒ１の他端は、電源電位Ｖ０に接続されている。第２抵抗器Ｒ２の他端は接地されている。サーミスタ１１ａの他端は、第１ＡＤＣ１５に接続されており、サーミスタ１１ａの他端側の電位が入力する。
サーミスタ１１ａは、温度が高い程、電気抵抗値が低くなるため、第１ＡＤＣ１５に入力する電位は低くなる。逆に、温度が低い程、電気抵抗値が高くなるため、第１ＡＤＣ１５に入力する電位は高くなる。第１ＡＤＣ１５は、入力した電位をデジタルの検出値Ｖ１にＡＤ変換し、ＡＤ変換した検出値Ｖ１を制御部１６に与える。
【００３９】
側壁１ｄに形成された通気孔１ｇには、筐体１外部の温度を検出するための外部温度検出部１２が並設されている。通気孔１ｇから筐体１内部に吸気された空気の温度は、筐体１外部の温度と同程度であるため、外部温度検出部１２は吸気された空気の温度を検出することで、筐体１外部の温度を検出することができる。外部温度検出部１２の構成は内部温度検出部１１と同様のサーミスタ、第１及び第２抵抗器を備えている。外部温度検出部１２が備えるサーミスタの電位は第２ＡＤＣ１８に入力する。
第２ＡＤＣ１８は、外部温度検出部１２から入力した電位をデジタルの検出値Ｖ２にＡＤ変換し、ＡＤ変換した検出値Ｖ２を制御部１６に与える。
【００４０】
制御部１６は、例えばマイクロコンピュータからなり、ＣＰＵ、該ＣＰＵにバスを介して接続されたＲＯＭ、ＲＡＭ等を備えている。ＲＯＭは、光源２の点灯、ファン１０の回転数、ＤＭＤ８による光変調等を制御するための制御プログラムを記憶しており、ＣＰＵはＲＯＭから前記制御プログラムをＲＡＭに読み出して実行することにより、各種ハードウェアの動作を制御する。
【００４１】
制御部１６には、光源２の累積点灯時間を計時するための計時部１４が接続されている。制御部１６は、光源２を点灯させた場合、計時開始の制御信号を計時部１４に与え、光源２を消灯した場合、計時停止の制御信号を計時部１４に与える。計時部１４は、制御部１６から計時開始の制御信号を受けた場合、計時を開始し、計時停止の制御信号を受けた場合、計時を停止させ、計時結果を保持することにより、光源２の累積点灯時間を計時する。
【００４２】
また、制御部１６には、閾値テーブル１３ａ及び補正テーブル１３ｂを記憶したメモリ１３、並びに受信部１９が接続されている。
閾値テーブル１３ａは、光源２の累積点灯時間とファン１０の回転数の切り換え及び光源２の点灯を制御するための第１閾値乃至第４閾値とを夫々対応付けたテーブルである。
【００４３】
具体的には、第１閾値は、ファン１０を低速回転させるか停止させるかを判定するための閾値であり、制御部１６は、第２検出値Ｖ２から第１検出値Ｖ１を減算したΔＶと、第１閾値とを比較することで、ファン１０を低速回転させるか停止させるかを判定する。具体的には、ΔＶが第１閾値未満の場合、ファン１０を停止させる。
第２閾値は、ファン１０を低速回転させるか否かを判定するための閾値であり、第１閾値より大きな値である。制御部１６は、ΔＶと、第２閾値とを比較することで、ファン１０を低速回転させるか否かを判定する。ΔＶが第１閾値以上で第２閾値未満である場合、ファン１０を低速回転させる。
第３閾値は、ファン１０を中速回転させるか否かを判定するための閾値であり、第２閾値より大きな値である。制御部１６は、ΔＶと、第３閾値とを比較することで、ファン１０を中速回転させるか否かを判定する。ΔＶが第２閾値以上で第３閾値未満である場合、ファン１０を中速回転させる。
第４閾値は、ファン１０を高速回転させるか否かを判定するための閾値であり、第３閾値より大きな値である。制御部１６は、ΔＶと、第４閾値とを比較することで、ファン１０を高速回転させるか否かを判定する。ΔＶが第３閾値以上で第４閾値未満である場合、ファン１０を高速回転させる。ΔＶが第４閾値以上である場合、ファン１０の回転を停止させ、光源２を消灯させる。
【００４４】
図４は、閾値テーブル１３ａにおける光源２の累積点灯時間と第１閾値との対応関係を示すグラフである。
横軸は光源２の累積点灯時間、縦軸は第１閾値である。第１閾値は、点灯時間に関して線形の減少関数であり、累積点灯時間と第１閾値との関係は下記式（１）で表される。
Ｃ＝−αＴ＋Ｃ０…（１）
但し、Ｃは第１閾値、αは傾き、Ｔは累積点灯時間、Ｃ０は定数である。傾きαは、実験的に特定される。
光源２の照度は、累積点灯時間が長い程小さくなるため、光が照射されるＤＭＤ８の温度も低くなり、ＤＭＤ８に並設されている内部温度検出部１１の検出値Ｖ１は大きくなる。従って、ΔＶ＝Ｖ２−Ｖ１の値は、筐体１内外の温度差が一定であっても、累積点灯時間が長くなる程小さくなる。第１閾値は、光源２の経時変化によるΔＶの変化に合わせて低くなるように特定されている。
第２閾値乃至第４も、第１閾値と同様の線形の減少関数である。
【００４５】
受信部１９は、光源２の照度を示す照度データを受信するための通信インタフェースであり、制御部１６は、受信部１９を介して受信した照度データをメモリ１３に記憶させる。照度データは、閾値テーブル１３ａにおける累積点灯時間と第１閾値との関係を補正するためのデータである。
【００４６】
図５は、補正テーブル１３ｂにおける所定累積点灯時間が０での光源２の照度と、第１閾値との対応関係を示すグラフである。横軸は所定累積点灯時間での光源２の照度、縦軸は第１閾値である。第１閾値は、照度に関して線形の増加関数であり、照度と第１閾値との関係は下記式（２）で表される。
Ｃ１＝β＋γＩ…（２）
但し、Ｃ１は累積点灯時間が０での第１閾値、β、γは定数、Ｉは累積点灯時間が０での光源２の照度である。β及びγは実験によって特定される。
【００４７】
製造工程でプロジェクタに備える光源２の照度は、ばらつきを有しているため、上記式（１）のＣ１０は、光源２毎に異なる。制御部１６は、受信部１９を介して受信した照度データが示す照度、及び上記式（１）、（２）に基づいて、Ｃ０＝β＋γＩを特定することができ、閾値テーブル１３ａの第１閾値を補正することができる。つまり、補正後の第１閾値と、光源２の点灯時間との関係は、Ｃ＝−αＴ＋β＋γＩにて表される。
【００４８】
図６及び図７は、ファン１０の回転数及び光源２の点灯に係る制御部１６の処理手順を示すフローチャートである。
電源が投入され、光源２が点灯している場合、制御部１６は、内部温度検出部１１の検出値Ｖ１を第１ＡＤＣ１５から取得する（ステップＳ１１）。そして、外部温度検出部１２の検出値Ｖ２を第２ＡＤＣ１８から取得する（ステップＳ１２）。
【００４９】
次いで、制御部１６は、メモリ１３から閾値テーブル１３ａを読み出し（ステップＳ１３）、累積点灯時間を計時部１４から取得する（ステップＳ１４）。そして、制御部１６は、読み出した閾値テーブル１３ａ及び累積点灯時間に基づいて、第１乃至第４閾値を特定する（ステップＳ１５）。
【００５０】
次いで、制御部１６は、照度データをメモリ１３から読み出し（ステップＳ１６）、読み出した照度データに基づいて、第１乃至第４閾値を補正する（ステップＳ１７）。例えば、上記式（１）で表される第１閾値Ｃ＝−αＴ＋Ｃ０を、Ｃ＝−αＴ＋β＋γＩに補正する。
【００５１】
そして、制御部１６は、検出値Ｖ２から検出値Ｖ１を減算したΔＶを算出する（ステップＳ１８）。ΔＶは、筐体１内外の温度差に相当する値である。
次いで、制御部１６は、ΔＶが第１閾値未満であるか否かを判定する（ステップＳ１９）。ΔＶが第１閾値未満であると判定した場合（ステップＳ１９：ＹＥＳ）、制御部１６は、ファン１０を停止させる（ステップＳ２０）。
【００５２】
ΔＶが第１閾値以上であると判定した場合（ステップＳ１９：ＮＯ）、制御部１６は、ΔＶが第２閾値未満であるか否かを判定する（ステップＳ２１）。ΔＶが第２閾値未満であると判定した場合（ステップＳ２１：ＹＥＳ）、制御部１６は、ファン１０を低速回転させる（ステップＳ２２）。
【００５３】
ΔＶが第２閾値以上であると判定した場合（ステップＳ２１：ＮＯ）、制御部１６は、ΔＶが第３閾値未満であるか否かを判定する（ステップＳ２３）。ΔＶが第３閾値未満であると判定した場合（ステップＳ２３：ＹＥＳ）、制御部１６は、ファン１０を中速回転させる（ステップＳ２４）。
【００５４】
ΔＶが第３閾値以上であると判定した場合（ステップＳ２３：ＮＯ）、制御部１６は、ΔＶが第４閾値未満であるか否かを判定する（ステップＳ２５）。ΔＶが第４閾値未満であると判定した場合した場合（ステップＳ２５：ＹＥＳ）、制御部１６は、ファン１０を高速回転させる（ステップＳ２６）。
【００５５】
ΔＶが第４閾値以上であると判定した場合（ステップＳ２５：ＮＯ）、制御部１６は、光源２を消灯し（ステップＳ２７）、ファン１０の回転を停止させる（ステップＳ２８）。ステップＳ２８又はステップＳ２６の処理を終えた場合、ファン１０の回転数及び光源２の点灯に係る処理を終える。
【００５６】
光源２の経時変化に応じたファン１０の回転数制御及び光源２の点灯制御を可能にする第１乃至第４閾値を特定してファン１０の回転数及び光源２の点灯を制御することにより、光源２が経時変化した場合であっても、ファン１０の騒音を抑えると共に電子部品及び光源２が熱で劣化することを防止することができる。
【００５７】
また、温度検出部の追加が不要であり、上述の効果を有するプロジェクタを低コストで構成することができる。
【００５８】
更に、製造工程でプロジェクタに備える光源２の照度がばらつきを有する場合であっても、ファン１０の騒音を抑えると共に電子部品及び光源２が熱で劣化することを防止することができる。
【００５９】
なお、実施の形態１にあっては、光源２の照度を示すデータに基づいて、閾値テーブル１３ａの第１乃至第４閾値を補正するように構成してあるが、光源２の照度が有するばらつきが十分に小さい場合、第１乃至第４閾値を補正する処理を省略しても良い。
【００６０】
また、光変調素子としてＤＭＤ８を備えているが、他の光変調素子、例えば液晶パネルを備えても良い。
【００６１】
更に、筐体１外部の温度を検出する外部温度検出部１２を筐体１内部の通気孔近傍に配しているが、筐体１外部に配しても良い。
【００６２】
更にまた、制御部１６が計時部１４の計時を制御することで、光源２の累積点灯時間を計時するように構成してあるが、光源２に供給される電力を計測することで光源２の累積点灯時間を計時するように構成しても良い。
【００６３】
更にまた、内部温度検出部１１又は外部温度検出部１２は、温度が高い程、電気抵抗値が小さくなるサーミスタ１１ａを備えているが、温度が高い程、電気抵抗値が高くなるサーミスタを備えても良い。また、内部温度検出部１１又は外部温度検出部１２の回路構成は、図３に示した回路構成に限定されない。
更にまたファン１０は排気用ファンとして構成されているが、吸気用ファンあるいは内部部品用冷却ファンとしても良い。また、排気ファン、吸気ファンおよび内部部品冷却ファンを組み合わせた構成としても良い。
【００６４】
（実施の形態２）
図８は、実施の形態２におけるファン１０の回転数及び光源２の点灯に係る制御部１６の処理手順を示すフローチャートである。実施の形態２では、光源２の経時変化が十分小さく、製造された光源２が有する照度のばらつきが主な問題となる場合を説明する。実施の形態２に係るプロジェクタは、メモリ１３が記憶している閾値テーブル１３ａの内容及び制御部１６の処理手順のみが実施の形態１に係るプロジェクタと異なるため、以下では主に上記相違点を説明する。
【００６５】
メモリ１３が記憶している閾値テーブル１３ａは、光源２の照度とファン１０の回転数及び光源２の点灯を制御するための第１閾値及び第２閾値を夫々対応付けたテーブルである。
具体的には、第１閾値は、ファン１０を回転させるか否かを判定するための閾値であり、制御部１６は、第２検出値Ｖ２から第１検出値Ｖ１を減算したΔＶと、第１閾値とを比較することで、ファン１０を回転させるか否かを判定する。ΔＶが第１閾値未満の場合、ファン１０を停止させる。
【００６６】
第２閾値は、光源２を消灯するか否かを判定するための閾値であり、第１閾値より大きな値である。制御部１６は、ΔＶと、第２閾値とを比較することで、光源２を消灯するか否かを判定する。ΔＶが第１閾値以上で第２閾値未満である場合、ファン１０を回転させる。ΔＶが第２閾値以上である場合、ファン１０の回転を停止させ、光源２を消灯させる。
【００６７】
電源が投入され、光源２が点灯している場合、制御部１６は、内部温度検出部１１の検出値Ｖ１を第１ＡＤＣ１５から取得する（ステップＳ２１１）。そして、外部温度検出部１２の検出値Ｖ２を第２ＡＤＣ１８から取得する（ステップＳ２１２）。
【００６８】
次いで、制御部１６は、メモリ１３から閾値テーブル１３ａを読み出し（ステップＳ２１３）、照度データをメモリ１３から読み出す（ステップＳ２１４）。メモリ１３が記憶している照度データは、組立工程時に受信部１９で受信した照度データである。
そして、制御部１６は、読み出した閾値テーブル１３ａ及び照度データに基づいて、第１閾値及び第２閾値を特定する（ステップＳ２１５）。
【００６９】
次いで、制御部１６は、検出値Ｖ２から検出値Ｖ１を減算したΔＶを算出し（ステップＳ２１６）、ΔＶが第１閾値未満であるか否かを判定する（ステップＳ２１７）。ΔＶが第１閾値未満であると判定した場合（ステップＳ２１７：ＹＥＳ）、制御部１６は、ファン１０を停止させる（ステップＳ２１８）。
【００７０】
ΔＶが第１閾値以上であると判定した場合（ステップＳ２１７：ＮＯ）、制御部１６は、ΔＶが第２閾値未満であるか否かを判定する（ステップＳ２１９）。ΔＶが第２閾値未満であると判定した場合（ステップＳ２１９：ＹＥＳ）、制御部１６は、ファン１０を回転させる（ステップＳ２２０）。
【００７１】
ΔＶが第２閾値以上であると判定した場合（ステップＳ２１９：ＮＯ）、制御部１６は、光源２を消灯する。（ステップＳ２２１）。そして、制御部１６は、ファン１０の回転を停止させ（ステップＳ２２２）、ファン１０の回転数及び光源２の点灯に係る処理を終える。
【００７２】
このように構成されたプロジェクタにあっては、製造工程においてプロジェクタに備える光源２の光量がばらつきを有する場合であっても、ファン１０の騒音を抑えると共に電子部品及び光源２が熱で劣化することを防止することができる。また、温度検出部の追加が不要であり、上述の効果を有するプロジェクタを低コストで構成することができる。
【００７３】
なお、実施の形態２にあっては、組立工程時に受信部１９を介してメモリ１３に記憶させた照度データに基づいて、第１閾値及び第２閾値を特定するように構成してあるが、制御部１６が適宜受信部１９から照度データを取得し、該照度データに基づいて第１閾値及び第２閾値を特定するように構成しても良い。
【００７４】
実施の形態２に係るプロジェクタの他の構成、作用及び効果は、実施の形態１に係るプロジェクタの構成、作用及びと同様であるため、対応する箇所には同様の符号を付して詳細な説明を省略する。
【図面の簡単な説明】
【００７５】
【図１】本発明の実施の形態１に係るＤＬＰ方式のプロジェクタの略示横断面図である。
【図２】プロジェクタの構成を示すブロック図である。
【図３】内部温度検出部の構成を示す回路図である。
【図４】閾値テーブルにおける光源の累積点灯時間と第１閾値との対応関係を示すグラフである。
【図５】補正テーブルにおける所定累積点灯時間が０での光源の照度と、第１閾値との対応関係を示すグラフである。
【図６】ファンの回転数及び光源の点灯に係る制御部の処理手順を示すフローチャートである。
【図７】ファンの回転数及び光源の点灯に係る制御部の処理手順を示すフローチャートである。
【図８】実施の形態２におけるファンの回転数及び光源の点灯に係る制御部の処理手順を示すフローチャートである。
【図９】従来のプロジェクタの構成を示すブロック図である。
【図１０】プロジェクタの略示横断面図である。
【図１１】筐体内外の温度差とファンの回転数との関係を示すグラフである。
【符号の説明】
【００７６】
１  筐体
２  光源
３  反射鏡
４  カラーホイール
５  モータ
６  ロッドインテグレータ
７  照明レンズ群
８  ＤＭＤ
９  投射レンズ
１０  ファン
１１  内部温度検出部
１２  外部温度検出部
１３  メモリ
１３ａ  閾値テーブル
１３ｂ  補正テーブル
１４  計時部
１５  第１ＡＤＣ
１６  制御部
１７  ファン駆動部
１８  第２ＡＤＣ
１９  受信部
２０  点灯回路
２１  ＤＭＤ駆動部
２２  モータ駆動部
【図１】
2007279365.tif 000003
【図２】
2007279365.tif 000004
【図３】
2007279365.tif 000005
【図４】
2007279365.tif 000006
【図５】
2007279365.tif 000007
【図６】
2007279365.tif 000008
【図７】
2007279365.tif 000009
【図８】
2007279365.tif 000010
【図９】
2007279365.tif 000011
【図１０】
2007279365.tif 000012
【図１１】
2007279365.tif 000013